(57)【要約】【課題】  正規に購入していない商品のＩＣタグを読み取って特典に応募する等の不正行為を防止することができる情報記憶発信機、サーバ装置、商品モニタリングシステム、商品モニタリング方法、及びプログラムを提供する。【解決手段】  商品に貼付されるＩＣタグと、ＩＣタグを読み取る機能を有する携帯端末と、携帯端末と通信を行うサーバ装置と、を有し、ＩＣタグの制御部は商品が正規に購入されたことを示す購入済み情報を生成して携帯端末へ送信し、サーバ装置は、携帯端末から接続要求があった場合、携帯端末から受信した購入済み情報に基づいて、商品が正規に購入されたと判断された場合に、携帯端末の接続を行うように通信を制御する。【選択図】  図１３
2006134033.tif 000002
【特許請求の範囲】
【請求項１】
商品に貼付される情報記憶発信機であって、
前記商品を識別するための識別情報を記憶する記憶部と、
情報記憶発信機読み取り機能付き携帯端末から情報取得要求の電波を受信するアンテナ部と、
前記アンテナ部にて前記情報取得要求の電波を受信すると、誘導起電力を利用して電力を発生させる電力生成部と、
前記記憶部に記憶されている前記識別情報を読み出し、前記アンテナ部から前記情報記憶発信機読み取り機能付き携帯端末へ送信するように制御する制御部と、を有し、
前記制御部は前記商品が正規に購入されたことを示す購入済み情報を生成し、前記記憶部に記憶させるとともに、前記購入済み情報を前記携帯端末へ送信することを特徴とする情報記憶発信機。
【請求項２】
前記購入済み情報は、前記商品の精算時に、前記制御手段が前記識別情報の一部又は全部を書き換えたものであることを特徴とする請求項１記載の情報記憶発信機。
【請求項３】
前記購入済み情報は、前記商品の精算時に、前記情報記憶発信機又は該情報記憶発信機の付属品の一部が物理的に取り外されることによって、前記制御部が取り外しを検知し、前記識別情報の一部又は全部を書き換えたものであることを特徴とする請求項１又は２記載の情報記憶発信機。
【請求項４】
前記購入済み情報は、購入者が前記商品を開封した時に、前記制御部が開封を検知し、前記識別情報の一部又は全部を書き換えたものであることを特徴とする請求項１又は２記載の情報記憶発信機。
【請求項５】
前記識別情報の書き換えは、前記識別情報に、購入されたことを示す新たな情報を追加することを特徴とする請求項１から４のいずれか１項に記載の情報記憶発信機。
【請求項６】
前記購入済み情報は、前記商品の精算時に、前記商品が正規に購入されたことを示す情報として、前記制御部にて新たに生成される情報であることを特徴とする請求項１記載の情報記憶発信機。
【請求項７】
前記記憶部は、サーバ装置の接続先アドレスであるアドレス情報を記憶し、
前記識別情報が、前記商品の精算時に、前記アドレス情報に基づいてネットワークを介して前記サーバ装置に通知されることによって、前記サーバ装置が、受信した前記識別情報を前記購入済み情報として処理することを特徴とする請求項１記載の情報記憶発信機。
【請求項８】
ネットワークを介して他の端末と情報の送受信を行うための無線手段と、
前記他の端末から受信した情報及び予め入力された情報を記憶する記憶手段と、
情報記憶発信機読み取り機能付き携帯端末から接続要求があった場合、情報記憶発信機が貼付された商品が正規に購入されたか否かを判断する情報記憶発信機認証手段と、
前記情報記憶発信機認証手段によって前記商品が正規に購入されたと判断された場合に、前記情報記憶発信機読み取り機能付き携帯端末の接続を行うように前記無線手段を制御する制御手段と、
を有することを特徴とするサーバ装置。
【請求項９】
前記情報記憶発信機認証手段は、前記携帯端末から、前記商品が正規に購入されたことを示す購入済み情報を受信したか否かによって、前記商品が正規に購入されたものであるか否かを判断することを特徴とする請求項８記載のサーバ装置。
【請求項１０】
前記情報記憶発信機認証手段は、前記記憶手段に記憶されている出荷時の識別情報と、前記携帯端末から受信した識別情報とを照合することによって、前記商品が正規に購入されたものであるか否かを判断することを特徴とする請求項８記載のサーバ装置。
【請求項１１】
前記携帯端末のユーザの情報及び該携帯端末の端末ＩＤ情報を受信した際に、ユーザ認証用のＩＤ及びパスワードを生成するＩＤ・パスワード生成手段と、
前記携帯端末から受信したＩＤ及びパスワードと、前記記憶手段に記憶されるＩＤ及びパスワードとを照合してユーザ認証を行うユーザ認証手段と、
をさらに有することを特徴とする請求項８から１０のいずれか１項に記載のサーバ装置。
【請求項１２】
前記携帯端末のユーザが入力した情報に応じて、重み付け情報を生成する重み付け手段と、
前記重み付け手段により生成された前記重み付け情報を基に、前記携帯端末のユーザに支払う報酬金の算出を行う報酬額算出手段と、
前記報酬金算出手段により算出された報酬金額の支払処理を行う報酬額支払手段と、
をさらに有することを特徴とする請求項８から１１のいずれか１項に記載のサーバ装置。
【請求項１３】
商品に貼付される情報記憶発信機と、該情報記憶発信機を読み取る機能を有する携帯端末と、前記携帯端末と通信を行うサーバ装置と、を有する商品モニタリングシステムであって、
前記情報記憶発信機は、
前記商品を識別するための識別情報と、前記サーバ装置の接続先アドレスであるアドレス情報とを記憶する記憶部と、
前記携帯端末から情報取得要求の電波を受信するアンテナ部と、
前記アンテナ部にて前記情報取得要求の電波を受信すると、誘導起電力を利用して電力を発生させる電力生成部と、
前記記憶部に記憶されている前記識別情報と、前記アドレス情報とを読み出し、前記アンテナ部から前記携帯端末へ送信するように制御する制御部と、を有し、
前記制御部は前記商品が正規に購入されたことを示す購入済み情報を生成し、前記記憶部に記憶するとともに、前記購入済み情報を前記携帯端末へ送信し、
前記サーバ装置は、
ネットワークを介して他の端末と情報の送受信を行うための無線手段と、
前記他の端末から受信した情報及び予め入力された情報を記憶する記憶手段と、
前記携帯端末から接続要求があった場合、該携帯端末から受信した前記購入済み情報に基づいて、前記情報記憶発信機が貼付された商品が正規に購入されたか否かを判断する情報記憶発信機認証手段と、
前記情報記憶発信機認証手段によって前記商品が正規に購入されたと判断された場合に、前記携帯端末の接続を行うように前記無線手段を制御する制御手段と、
を有することを特徴とする商品モニタリングシステム。
【請求項１４】
前記購入済み情報は、前記商品の精算時に、前記制御手段が前記識別情報の一部又は全部を書き換えたものであることを特徴とする請求項１３記載の商品モニタリングシステム。
【請求項１５】
前記購入済み情報は、前記商品の精算時に、前記情報記憶発信機又は該情報記憶発信機の付属品の一部が物理的に取り外されることによって、前記制御部が取り外しを検知し、前記識別情報の一部又は全部を書き換えたものであることを特徴とする請求項１３又は１４記載の商品モニタリングシステム。
【請求項１６】
前記購入済み情報は、購入者が前記商品を開封した時に、前記制御部が開封を検知し、前記識別情報の一部又は全部を書き換えたものであることを特徴とする請求項１３又は１４記載の商品モニタリングシステム。
【請求項１７】
前記識別情報の書き換えは、前記識別情報に、購入されたことを示す新たな情報を追加することを特徴とする請求項１３から１６のいずれか１項に記載の商品モニタリングシステム。
【請求項１８】
前記購入済み情報は、前記商品の精算時に、前記商品が正規に購入されたことを示す情報として、前記制御部にて新たに生成される情報であることを特徴とする請求項１３記載の商品モニタリングシステム。
【請求項１９】
前記識別情報が、前記商品の精算時に、前記アドレス情報に基づいてネットワークを介して前記サーバ装置に通知されることによって、前記サーバ装置の情報記憶発信機認証手段が、受信した前記識別情報を前記購入済み情報として処理することを特徴とする請求項１３記載の商品モニタリングシステム。
【請求項２０】
前記情報記憶発信機認証手段は、前記携帯端末から、前記商品が正規に購入されたことを示す購入済み情報を受信したか否かによって、前記商品が正規に購入されたものであるか否かを判断することを特徴とする請求項１３記載の商品モニタリングシステム。
【請求項２１】
前記情報記憶発信機認証手段は、前記記憶手段に記憶されている出荷時の識別情報と、前記携帯端末から受信した識別情報とを照合することによって、前記商品が正規に購入されたものであるか否かを判断することを特徴とする請求項１３記載の商品モニタリングシステム。
【請求項２２】
前記サーバ装置は、
前記携帯端末のユーザの情報及び該携帯端末の端末ＩＤ情報を受信した際に、ユーザ認証用のＩＤ及びパスワードを生成するＩＤ・パスワード生成手段と、
前記携帯端末から受信したＩＤ及びパスワードと、前記記憶手段に記憶されるＩＤ及びパスワードとを照合してユーザ認証を行うユーザ認証手段と、
をさらに有することを特徴とする請求項１３から２１のいずれか１項に記載の商品モニタリングシステム。
【請求項２３】
前記サーバ装置は、
前記携帯端末のユーザが入力した情報に応じて、重み付け情報を生成する重み付け手段と、
前記重み付け手段により生成された前記重み付け情報を基に、前記携帯端末のユーザに支払う報酬金の算出を行う報酬額算出手段と、
前記報酬金算出手段により算出された報酬金額の支払処理を行う報酬額支払手段と、
をさらに有することを特徴とする請求項１３から２２のいずれか１項に記載の商品モニタリングシステム。
【請求項２４】
商品に貼付される情報記憶発信機と、該情報記憶発信機を読み取る機能を有する携帯端末と、前記携帯端末と通信を行うサーバ装置と、を使用して行う商品モニタリング方法であって、
前記情報記憶発信機にて、
前記商品が正規に購入されたことを示す購入済み情報を生成して記憶し、
前記携帯端末から情報取得要求の電波を受信した際、誘導起電力を利用して電力を発生させ、前記商品を識別するための識別情報、前記サーバ装置の接続先アドレスであるアドレス情報、及び前記購入済み情報、を前記携帯端末へ送信し、
前記サーバ装置にて、
前記携帯端末から接続要求があった場合、該携帯端末から受信した前記購入済み情報に基づいて、前記情報記憶発信機が貼付された商品が正規に購入されたか否かを判断し、
前記商品が正規に購入されたと判断された場合に、前記携帯端末の接続を行うように通信を制御することを特徴とする商品モニタリング方法。
【請求項２５】
前記購入済み情報は、前記商品の精算時に、前記識別情報の一部又は全部を書き換えられたものであることを特徴とする請求項２４記載の商品モニタリング方法。
【請求項２６】
前記購入済み情報は、前記商品の精算時に、前記情報記憶発信機又は該情報記憶発信機の付属品の一部が物理的に取り外されることによって、前記識別情報の一部又は全部を書き換えられたものであることを特徴とする請求項２４又は２５記載の商品モニタリング方法。
【請求項２７】
前記購入済み情報は、購入者が前記商品を開封した時に、前記識別情報の一部又は全部を書き換えられたものであることを特徴とする請求項２４又は２５記載の商品モニタリング方法。
【請求項２８】
前記識別情報の書き換えは、前記識別情報に、購入されたことを示す新たな情報を追加することを特徴とする請求項２４から２７のいずれか１項に記載の商品モニタリング方法。
【請求項２９】
前記購入済み情報は、前記商品の精算時に、前記商品が正規に購入されたことを示す情報として、新たに生成される情報であることを特徴とする請求項２４記載の商品モニタリング方法。
【請求項３０】
前記識別情報が、前記商品の精算時に、前記アドレス情報に基づいてネットワークを介して前記サーバ装置に通知されることによって、前記サーバ装置が、受信した前記識別情報を前記購入済み情報として処理することを特徴とする請求項２４記載の商品モニタリング方法。
【請求項３１】
前記サーバ装置にて、前記携帯端末から、前記商品が正規に購入されたことを示す購入済み情報を受信したか否かによって、前記商品が正規に購入されたものであるか否かを判断することを特徴とする請求項２４記載の商品モニタリング方法。
【請求項３２】
前記サーバ装置にて、予め記憶している出荷時の識別情報と、前記携帯端末から受信した識別情報とを照合することによって、前記商品が正規に購入されたものであるか否かを判断することを特徴とする請求項２４記載の商品モニタリング方法。
【請求項３３】
前記サーバ装置にて、
前記携帯端末のユーザの情報及び該携帯端末の端末ＩＤ情報を受信した際に、ユーザ認証用のＩＤ及びパスワードを生成し、
前記携帯端末から受信したＩＤ及びパスワードと、前記記憶手段に記憶されるＩＤ及びパスワードとを照合してユーザ認証を行うことを特徴とする請求項２４から３２のいずれか１項に記載の商品モニタリング方法。
【請求項３４】
前記サーバ装置にて、
前記携帯端末のユーザが入力した情報に応じて、重み付け情報を生成し、
前記重み付け情報を基に、前記携帯端末のユーザに支払う報酬金の算出を行い、
前記算出された報酬金の支払処理を行うことを特徴とする請求項２４から３３のいずれか１項に記載の商品モニタリング方法。
【請求項３５】
ネットワークを介して他の端末と情報の送受信を行うための無線処理と、
前記他の端末から受信した情報及び予め入力された情報を記憶する記憶処理と、
情報記憶発信機読み取り機能付き携帯端末から接続要求があった場合、情報記憶発信機が貼付された商品が正規に購入されたか否かを判断する情報記憶発信機認証処理と、
前記情報記憶発信機認証処理によって前記商品が正規に購入されたと判断された場合に、前記情報記憶発信機読み取り機能付き携帯端末の接続を行うように制御する制御処理と、
をコンピュータに実行させるためのプログラム。
【請求項３６】
前記情報記憶発信機認証処理において、前記携帯端末から、前記商品が正規に購入されたことを示す購入済み情報を受信したか否かによって、前記商品が正規に購入されたものであるか否かを判断する処理をコンピュータに実行させるための、請求項３５記載のプログラム。
【請求項３７】
前記情報記憶発信機認証処理において、前記記憶処理で記憶された出荷時の識別情報と、前記携帯端末から受信した識別情報とを照合することによって、前記商品が正規に購入されたものであるか否かを判断する処理をコンピュータに実行させるための、請求項３５記載のプログラム。
【請求項３８】
前記携帯端末のユーザの情報及び該携帯端末の端末ＩＤ情報を受信した際に、ユーザ認証用のＩＤ及びパスワードを生成するＩＤ・パスワード生成処理と、
前記携帯端末から受信したＩＤ及びパスワードと、前記記憶手段に記憶されるＩＤ及びパスワードとを照合してユーザ認証を行うユーザ認証処理と、
をさらにコンピュータに実行させるための、請求項３５から３７のいずれか１項に記載のプログラム。
【請求項３９】
前記携帯端末のユーザが入力した情報に応じて、重み付け情報を生成する重み付け処理と、
前記重み付け処理にて生成された前記重み付け情報を基に、前記携帯端末のユーザに支払う報酬金の算出を行う報酬額算出処理と、
前記報酬金算出処理にて算出された報酬金額の支払処理を行う報酬額支払処理と、
をさらにコンピュータに実行させるための、請求項３５から３８のいずれか１項に記載のプログラム。
【請求項４０】
商品に貼付される電子タグと、
前記電子タグの情報を読み込むＰＯＳ端末と、
前記電子タグの情報を読み込む携帯端末と、
ネットワークを介して前記携帯端末と通信を行うサーバ装置と、を有する商品モニタリングシステムであって、
前記電子タグは、
個々の商品を識別するための情報である商品ＩＤ情報と、
商品が購入済みか否かを示す情報である購入フラグと、を記憶する記憶部を有し、
前記ＰＯＳ端末は、
前記電子タグの商品ＩＤ情報を読み込み、前記商品ＩＤ情報を基に、暗号化された購入フラグを生成する暗号化購入フラグ生成手段と、
前記生成した暗号化購入フラグを、前記電子タグの前記記憶部に書き込む購入フラグ書き込み手段と、を有し、
前記携帯端末は、
前記電子タグの情報を読み込むための電子タグ読み取り手段と、
前記サーバ装置にアクセスするためのサーバ装置情報を基に前記サーバ装置と情報の送受信を行う通信手段と、
前記サーバ装置から受信した情報を表示する表示手段と、を有し、
前記サーバ装置は、
前記商品に関する、一般情報と購入者向け情報とを格納する情報格納手段と、
前記携帯端末から受信した、前記商品ＩＤ情報及び前記購入フラグから、前記購入フラグが有効であるかどうか判定する暗号化購入フラグ判定手段と、
前記判定により前記購入フラグが無効である場合、前記携帯端末に対し前記一般情報を送出する一般情報送出手段と、
前記判定により前記購入フラグが有効である場合、前記携帯端末に対し前記購入者向け情報を送出する購入者向け情報送出手段と、
を有することを特徴とする商品モニタリングシステム。
【請求項４１】
前記サーバ装置情報は、前記携帯端末の有する記憶部、又は前記電子タグの記憶部のいずれか一方に保持されることを特徴とする請求項４０記載の商品モニタリングシステム。
【請求項４２】
前記携帯端末は、前記電子タグの記憶部の購入フラグを更新し、前記購入フラグを無効にする購入フラグ消去手段をさらに有することを特徴とする請求項４０又は４１記載の商品モニタリングシステム。
【請求項４３】
請求項４０から４３のいずれか１項に記載の商品モニタリングシステムで用いられることを特徴とするサーバ装置。
【請求項４４】
商品に貼付される電子タグと、
前記電子タグの情報を読み込むＰＯＳ端末と、
前記電子タグの情報を読み込む携帯端末と、
ネットワークを介して前記携帯端末と通信を行うサーバ装置と、を使用して行う商品モニタリング方法であって、
前記ＰＯＳ端末は、
個々の商品を識別するための情報である商品ＩＤ情報と、商品が購入済みか否かを示す情報である購入フラグと、を記憶する記憶部を有する前記電子タグから前記商品ＩＤ情報を読み込み、前記商品ＩＤ情報を基に、暗号化された購入フラグを生成し、前記生成した暗号化購入フラグを、前記電子タグの前記記憶部に書き込み、
前記携帯端末は、
前記電子タグから前記商品ＩＤ情報及び前記暗号化購入フラグを読み込み、前記サーバ装置にアクセスするためのサーバ装置情報を基に前記サーバ装置に対し、前記商品ＩＤ情報及び前記暗号化購入フラグを送信し、
前記サーバ装置は、
前記携帯端末から受信した、前記商品ＩＤ情報及び前記暗号化購入フラグから、前記購入フラグが有効であるかどうか判定し、
前記判定により前記購入フラグが無効である場合、前記携帯端末に対し前記商品に関する一般情報を送出し、
前記判定により前記購入フラグが有効である場合、前記携帯端末に対し商品に関する購入者向け情報を送出し、
前記携帯端末は、
前記サーバより受信した、前記一般情報又は前記購入者向け情報のいずれか一方を表示することを特徴とする商品モニタリング方法。
【請求項４５】
前記サーバ装置情報は、前記携帯端末の有する記憶部、又は前記電子タグの記憶部のいずれか一方に保持されることを特徴とする請求項４４記載の商品モニタリング方法。
【請求項４６】
前記携帯端末は、前記電子タグの記憶部の購入フラグを更新し、前記購入フラグを無効にすることを特徴とする請求項４４又は４５記載の商品モニタリング方法。
【発明の詳細な説明】
【技術分野】
【０００１】
本発明は、商品に付与された特典を購入者が利用する際に用いられる情報記憶発信機、サーバ装置、商品モニタリングシステム、商品モニタリング方法、及びプログラムに関する。
【背景技術】
【０００２】
近年、メモリ付き集積回路を有する情報記憶発信機、いわゆる「ＩＣタグ」（一般に、「非接触データキャリア」、「無線ＩＣタグ」、「非接触ＩＣ」、「非接触ＩＣラベル」、「非接触ＩＣタグ」、「ＲＦＩＤ」等と表現される場合もある。）を物品に実装し、各種の情報を記録して商品情報表示や物流の合理化あるいは物品の管理を行うことがされるようになってきている。このＩＣタグは一般にメモリを有して個体識別符号などの様々な情報を記憶しており、かつＩＣタグリーダライタによりそれらの情報を読み書きできるようになっている。
【０００３】
ＩＣタグを利用した従来技術例としては、物品に付与されたＲＦＩＤから情報を読み込み、物品情報を表示する技術がいくつか提案されている。例えば、携帯電話にてＲＦＩＤの情報を読み込み、アクセス先情報からサーバに接続し商品情報などを表示する方法が提案されている（例えば、特許文献１参照）。また、その他にもＩＣタグを用いて最新の商品情報を提供する方法が提案されている（例えば、特許文献２参照）。
【０００４】
一方で、物品に付与されたＪＡＮコード（商品バーコード）を活用して、アンケート用紙などを使うことなく、ほぼ自動的にアンケートを実施・回収し、そのアンケートに対する報奨金の支払いまで自動的に行い、商品に対するアンケートを効率的に実施することにより、アンケートに回答するユーザ側にとっては手間をかけずに簡単にアンケートに回答でき、また、アンケートを実施するメーカ側にとってはアンケートの実施に係る手間やコストを削減できる方法が提案されている（例えば、特許文献３参照）。
【特許文献１】特開２００３−１９８４５１号公報
【特許文献２】特開２００４−０４６４１２号公報
【特許文献３】特開２００２−１１７２０３号公報
【発明の開示】
【発明が解決しようとする課題】
【０００５】
上記特許文献３記載の発明は、ＪＡＮコードを使用するものではあるが、商品に付いているＪＡＮコードの番号を入力・送信することでアンケートを応募するものであるので、例えば、店内で実際に商品を手にとり、ＪＡＮコードの番号を暗記したり、メモしたりするなどすれば、その商品を購入せずとも応募できてしまう。
そこで、上記特許文献３記載の発明において、ＪＡＮコードの代わりに上記特許文献１及び２記載のＩＣタグを使用することも考えられる。
【０００６】
しかしながら、ＩＣタグはある程度距離を置いても携帯端末等のＩＣタグ読取装置を近づけることによりＩＣタグの情報を読み取ることが可能であるため、ＪＡＮコードの代わりにＩＣタグを使用して上記特許文献３記載の発明のような商品モニタリングを実施した場合、例えば、店の窓際に配置された商品に貼付されたＩＣタグを、窓を介して店外から読み取って、その商品のアンケートや懸賞といった特典に応募するというように、購入していない商品の特典を搾取することが容易に可能になるという問題がある。
【０００７】
本発明は、上記事情に鑑みてなされたものであり、商品が正規に購入されたことを示す情報を記憶させ、商品に付与された特典の応募等がされた場合、商品が正規に購入されたことを示す情報に基づき、特典の応募等が有効であるか否かを確認できる、情報記憶発信機、サーバ装置、商品モニタリングシステム、商品モニタリング方法、及びプログラムを提供することを目的とする。
【課題を解決するための手段】
【０００８】
かかる目的を達成するために、請求項１記載の発明は、商品に貼付される情報記憶発信機であって、商品を識別するための識別情報を記憶する記憶部と、情報記憶発信機読み取り機能付き携帯端末から情報取得要求の電波を受信するアンテナ部と、アンテナ部にて情報取得要求の電波を受信すると、誘導起電力を利用して電力を発生させる電力生成部と、記憶部に記憶されている識別情報を読み出し、アンテナ部から情報記憶発信機読み取り機能付き携帯端末へ送信するように制御する制御部と、を有し、制御部は商品が正規に購入されたことを示す購入済み情報を生成し、記憶部に記憶させるとともに、購入済み情報を携帯端末へ送信することを特徴とする。
【０００９】
請求項２記載の発明は、請求項１記載の発明において、購入済み情報は、商品の精算時に、制御手段が識別情報の一部又は全部を書き換えたものであることを特徴とする。
【００１０】
請求項３記載の発明は、請求項１又は２記載の発明において、購入済み情報は、商品の精算時に、情報記憶発信機又は情報記憶発信機の付属品の一部が物理的に取り外されることによって、制御部が取り外しを検知し、識別情報の一部又は全部を書き換えたものであることを特徴とする。
【００１１】
請求項４記載の発明は、請求項１又は２記載の発明において、購入済み情報は、購入者が商品を開封した時に、制御部が開封を検知し、識別情報の一部又は全部を書き換えたものであることを特徴とする。
【００１２】
請求項５記載の発明は、請求項１から４のいずれか１項に記載の発明において、識別情報の書き換えは、識別情報に、購入されたことを示す新たな情報を追加することを特徴とする。
【００１３】
請求項６記載の発明は、請求項１記載の発明において、購入済み情報は、商品の精算時に、商品が正規に購入されたことを示す情報として、制御部にて新たに生成される情報であることを特徴とする。
【００１４】
請求項７記載の発明は、請求項１記載の発明において、記憶部は、サーバ装置の接続先アドレスであるアドレス情報を記憶し、識別情報が、商品の精算時に、アドレス情報に基づいてネットワークを介してサーバ装置に通知されることによって、サーバ装置が、受信した識別情報を購入済み情報として処理することを特徴とする。
【００１５】
請求項８記載の発明は、ネットワークを介して他の端末と情報の送受信を行うための無線手段と、他の端末から受信した情報及び予め入力された情報を記憶する記憶手段と、情報記憶発信機読み取り機能付き携帯端末から接続要求があった場合、情報記憶発信機が貼付された商品が正規に購入されたか否かを判断する情報記憶発信機認証手段と、情報記憶発信機認証手段によって商品が正規に購入されたと判断された場合に、情報記憶発信機読み取り機能付き携帯端末の接続を行うように無線手段を制御する制御手段と、を有することを特徴とする。
【００１６】
請求項９記載の発明は、請求項８記載の発明において、情報記憶発信機認証手段は、携帯端末から、商品が正規に購入されたことを示す購入済み情報を受信したか否かによって、商品が正規に購入されたものであるか否かを判断することを特徴とする。
【００１７】
請求項１０記載の発明は、請求項８記載の発明において、情報記憶発信機認証手段は、記憶手段に記憶されている出荷時の識別情報と、携帯端末から受信した識別情報とを照合することによって、商品が正規に購入されたものであるか否かを判断することを特徴とする。
【００１８】
請求項１１記載の発明は、請求項８から１０のいずれか１項に記載の発明において、携帯端末のユーザの情報及び携帯端末の端末ＩＤ情報を受信した際に、ユーザ認証用のＩＤ及びパスワードを生成するＩＤ・パスワード生成手段と、携帯端末から受信したＩＤ及びパスワードと、記憶手段に記憶されるＩＤ及びパスワードとを照合してユーザ認証を行うユーザ認証手段と、をさらに有することを特徴とする。
【００１９】
請求項１２記載の発明は、請求項８から１１のいずれか１項に記載の発明において、携帯端末のユーザが入力した情報に応じて、重み付け情報を生成する重み付け手段と、重み付け手段により生成された重み付け情報を基に、携帯端末のユーザに支払う報酬金の算出を行う報酬額算出手段と、報酬金算出手段により算出された報酬金額の支払処理を行う報酬額支払手段と、をさらに有することを特徴とする。
【００２０】
請求項１３記載の発明は、商品に貼付される情報記憶発信機と、情報記憶発信機を読み取る機能を有する携帯端末と、携帯端末と通信を行うサーバ装置と、を有する商品モニタリングシステムであって、情報記憶発信機は、商品を識別するための識別情報と、サーバ装置の接続先アドレスであるアドレス情報とを記憶する記憶部と、携帯端末から情報取得要求の電波を受信するアンテナ部と、アンテナ部にて情報取得要求の電波を受信すると、誘導起電力を利用して電力を発生させる電力生成部と、記憶部に記憶されている識別情報と、アドレス情報とを読み出し、アンテナ部から携帯端末へ送信するように制御する制御部と、を有し、制御部は商品が正規に購入されたことを示す購入済み情報を生成し、記憶部に記憶するとともに、購入済み情報を携帯端末へ送信し、サーバ装置は、ネットワークを介して他の端末と情報の送受信を行うための無線手段と、他の端末から受信した情報及び予め入力された情報を記憶する記憶手段と、携帯端末から接続要求があった場合、携帯端末から受信した購入済み情報に基づいて、情報記憶発信機が貼付された商品が正規に購入されたか否かを判断する情報記憶発信機認証手段と、情報記憶発信機認証手段によって商品が正規に購入されたと判断された場合に、携帯端末の接続を行うように無線手段を制御する制御手段と、を有することを特徴とする。
【００２１】
請求項１４記載の発明は、請求項１３記載の発明において、購入済み情報は、商品の精算時に、制御手段が識別情報の一部又は全部を書き換えたものであることを特徴とする。
【００２２】
請求項１５記載の発明は、請求項１３又は１４記載の発明において、購入済み情報は、商品の精算時に、情報記憶発信機又は情報記憶発信機の付属品の一部が物理的に取り外されることによって、制御部が取り外しを検知し、識別情報の一部又は全部を書き換えたものであることを特徴とする。
【００２３】
請求項１６記載の発明は、請求項１３又は１４記載の発明において、購入済み情報は、購入者が商品を開封した時に、制御部が開封を検知し、識別情報の一部又は全部を書き換えたものであることを特徴とする。
【００２４】
請求項１７記載の発明は、請求項１３から１６のいずれか１項に記載の発明において、識別情報の書き換えは、識別情報に、購入されたことを示す新たな情報を追加することを特徴とする。
【００２５】
請求項１８記載の発明は、請求項１３記載の発明において、購入済み情報は、商品の精算時に、商品が正規に購入されたことを示す情報として、制御部にて新たに生成される情報であることを特徴とする。
【００２６】
請求項１９記載の発明は、請求項１３記載の発明において、識別情報が、商品の精算時に、アドレス情報に基づいてネットワークを介してサーバ装置に通知されることによって、サーバ装置の情報記憶発信機認証手段が、受信した識別情報を購入済み情報として処理することを特徴とする。
【００２７】
請求項２０記載の発明は、請求項１３記載の発明において、情報記憶発信機認証手段は、携帯端末から、商品が正規に購入されたことを示す購入済み情報を受信したか否かによって、商品が正規に購入されたものであるか否かを判断することを特徴とする。
【００２８】
請求項２１記載の発明は、請求項１３記載の発明において、情報記憶発信機認証手段は、記憶手段に記憶されている出荷時の識別情報と、携帯端末から受信した識別情報とを照合することによって、商品が正規に購入されたものであるか否かを判断することを特徴とする。
【００２９】
請求項２２記載の発明は、請求項１３から２１のいずれか１項に記載の発明において、サーバ装置は、携帯端末のユーザの情報及び携帯端末の端末ＩＤ情報を受信した際に、ユーザ認証用のＩＤ及びパスワードを生成するＩＤ・パスワード生成手段と、携帯端末から受信したＩＤ及びパスワードと、記憶手段に記憶されるＩＤ及びパスワードとを照合してユーザ認証を行うユーザ認証手段と、をさらに有することを特徴とする。
【００３０】
請求項２３記載の発明は、請求項１３から２２のいずれか１項に記載の発明において、サーバ装置は、携帯端末のユーザが入力した情報に応じて、重み付け情報を生成する重み付け手段と、重み付け手段により生成された重み付け情報を基に、携帯端末のユーザに支払う報酬金の算出を行う報酬額算出手段と、報酬金算出手段により算出された報酬金額の支払処理を行う報酬額支払手段と、をさらに有することを特徴とする。
【００３１】
請求項２４記載の発明は、商品に貼付される情報記憶発信機と、情報記憶発信機を読み取る機能を有する携帯端末と、携帯端末と通信を行うサーバ装置と、を使用して行う商品モニタリング方法であって、情報記憶発信機にて、商品が正規に購入されたことを示す購入済み情報を生成して記憶し、携帯端末から情報取得要求の電波を受信した際、誘導起電力を利用して電力を発生させ、商品を識別するための識別情報、サーバ装置の接続先アドレスであるアドレス情報、及び購入済み情報、を携帯端末へ送信し、サーバ装置にて、携帯端末から接続要求があった場合、携帯端末から受信した購入済み情報に基づいて、情報記憶発信機が貼付された商品が正規に購入されたか否かを判断し、商品が正規に購入されたと判断された場合に、携帯端末の接続を行うように通信を制御することを特徴とする。
【００３２】
請求項２５記載の発明は、請求項２４記載の発明において、購入済み情報は、商品の精算時に、識別情報の一部又は全部を書き換えられたものであることを特徴とする。
【００３３】
請求項２６記載の発明は、請求項２４又は２５記載の発明において、購入済み情報は、商品の精算時に、情報記憶発信機又は情報記憶発信機の付属品の一部が物理的に取り外されることによって、識別情報の一部又は全部を書き換えられたものであることを特徴とする。
【００３４】
請求項２７記載の発明は、請求項２４又は２５記載の発明において、購入済み情報は、購入者が商品を開封した時に、識別情報の一部又は全部を書き換えられたものであることを特徴とする。
【００３５】
請求項２８記載の発明は、請求項２４から２７のいずれか１項に記載の発明において、識別情報の書き換えは、識別情報に、購入されたことを示す新たな情報を追加することを特徴とする。
【００３６】
請求項２９記載の発明は、請求項２４記載の発明において、購入済み情報は、商品の精算時に、商品が正規に購入されたことを示す情報として、新たに生成される情報であることを特徴とする。
【００３７】
請求項３０記載の発明は、請求項２４記載の発明において、識別情報が、商品の精算時に、アドレス情報に基づいてネットワークを介してサーバ装置に通知されることによって、サーバ装置が、受信した識別情報を購入済み情報として処理することを特徴とする。
【００３８】
請求項３１記載の発明は、請求項２４記載の発明において、サーバ装置にて、携帯端末から、商品が正規に購入されたことを示す購入済み情報を受信したか否かによって、商品が正規に購入されたものであるか否かを判断することを特徴とする。
【００３９】
請求項３２記載の発明は、請求項２４記載の発明において、サーバ装置にて、予め記憶している出荷時の識別情報と、携帯端末から受信した識別情報とを照合することによって、商品が正規に購入されたものであるか否かを判断することを特徴とする。
【００４０】
請求項３３記載の発明は、請求項２４から３２のいずれか１項に記載の発明において、サーバ装置にて、携帯端末のユーザの情報及び携帯端末の端末ＩＤ情報を受信した際に、ユーザ認証用のＩＤ及びパスワードを生成し、携帯端末から受信したＩＤ及びパスワードと、記憶手段に記憶されるＩＤ及びパスワードとを照合してユーザ認証を行うことを特徴とする。
【００４１】
請求項３４記載の発明は、請求項２４から３３のいずれか１項に記載の発明において、サーバ装置にて、携帯端末のユーザが入力した情報に応じて、重み付け情報を生成し、重み付け情報を基に、携帯端末のユーザに支払う報酬金の算出を行い、算出された報酬金の支払処理を行うことを特徴とする。
【００４２】
請求項３５記載の発明は、ネットワークを介して他の端末と情報の送受信を行うための無線処理と、他の端末から受信した情報及び予め入力された情報を記憶する記憶処理と、情報記憶発信機読み取り機能付き携帯端末から接続要求があった場合、情報記憶発信機が貼付された商品が正規に購入されたか否かを判断する情報記憶発信機認証処理と、情報記憶発信機認証処理によって商品が正規に購入されたと判断された場合に、情報記憶発信機読み取り機能付き携帯端末の接続を行うように制御する制御処理と、をコンピュータに実行させる。
【００４３】
請求項３６記載の発明は、請求項３５記載の発明において、情報記憶発信機認証処理において、携帯端末から、商品が正規に購入されたことを示す購入済み情報を受信したか否かによって、商品が正規に購入されたものであるか否かを判断する処理をコンピュータに実行させる。
【００４４】
請求項３７記載の発明は、請求項３５記載の発明において、情報記憶発信機認証処理において、記憶処理で記憶された出荷時の識別情報と、携帯端末から受信した識別情報とを照合することによって、商品が正規に購入されたものであるか否かを判断する処理をコンピュータに実行させる。
【００４５】
請求項３８記載の発明は、請求項３５から３７のいずれか１項に記載の発明において、携帯端末のユーザの情報及び携帯端末の端末ＩＤ情報を受信した際に、ユーザ認証用のＩＤ及びパスワードを生成するＩＤ・パスワード生成処理と、携帯端末から受信したＩＤ及びパスワードと、記憶手段に記憶されるＩＤ及びパスワードとを照合してユーザ認証を行うユーザ認証処理と、をさらにコンピュータに実行させる。
【００４６】
請求項３９記載の発明は、請求項３５から３８のいずれか１項に記載の発明において、携帯端末のユーザが入力した情報に応じて、重み付け情報を生成する重み付け処理と、重み付け処理にて生成された重み付け情報を基に、携帯端末のユーザに支払う報酬金の算出を行う報酬額算出処理と、報酬金算出処理にて算出された報酬金額の支払処理を行う報酬額支払処理と、をさらにコンピュータに実行させる。
【００４７】
請求項４０記載の発明は、商品に貼付される電子タグと、電子タグの情報を読み込むＰＯＳ端末と、電子タグの情報を読み込む携帯端末と、ネットワークを介して携帯端末と通信を行うサーバ装置と、を有する商品モニタリングシステムであって、電子タグは、個々の商品を識別するための情報である商品ＩＤ情報と、商品が購入済みか否かを示す情報である購入フラグと、を記憶する記憶部を有し、ＰＯＳ端末は、電子タグの商品ＩＤ情報を読み込み、商品ＩＤ情報を基に、暗号化された購入フラグを生成する暗号化購入フラグ生成手段と、生成した暗号化購入フラグを、電子タグの記憶部に書き込む購入フラグ書き込み手段と、を有し、携帯端末は、電子タグの情報を読み込むための電子タグ読み取り手段と、サーバ装置にアクセスするためのサーバ装置情報を基にサーバ装置と情報の送受信を行う通信手段と、サーバ装置から受信した情報を表示する表示手段と、を有し、サーバ装置は、商品に関する、一般情報と購入者向け情報とを格納する情報格納手段と、携帯端末から受信した、商品ＩＤ情報及び購入フラグから、購入フラグが有効であるかどうか判定する暗号化購入フラグ判定手段と、判定により購入フラグが無効である場合、携帯端末に対し一般情報を送出する一般情報送出手段と、判定により購入フラグが有効である場合、携帯端末に対し購入者向け情報を送出する購入者向け情報送出手段と、を有することを特徴とする。
【００４８】
請求項４１記載の発明は、請求項４０記載の発明において、サーバ装置情報は、携帯端末の有する記憶部、又は電子タグの記憶部のいずれか一方に保持されることを特徴とする。
【００４９】
請求項４２記載の発明は、請求項４０又は４１記載の発明において、携帯端末は、電子タグの記憶部の購入フラグを更新し、購入フラグを無効にする購入フラグ消去手段をさらに有することを特徴とする。
【００５０】
請求項４３記載の発明は、請求項４０から４３のいずれか１項に記載の商品モニタリングシステムで用いられることを特徴とする。
【００５１】
請求項４４記載の発明は、商品に貼付される電子タグと、電子タグの情報を読み込むＰＯＳ端末と、電子タグの情報を読み込む携帯端末と、ネットワークを介して携帯端末と通信を行うサーバ装置と、を使用して行う商品モニタリング方法であって、ＰＯＳ端末は、個々の商品を識別するための情報である商品ＩＤ情報と、商品が購入済みか否かを示す情報である購入フラグと、を記憶する記憶部を有する電子タグから商品ＩＤ情報を読み込み、商品ＩＤ情報を基に、暗号化された購入フラグを生成し、生成した暗号化購入フラグを、電子タグの記憶部に書き込み、携帯端末は、電子タグから商品ＩＤ情報及び暗号化購入フラグを読み込み、サーバ装置にアクセスするためのサーバ装置情報を基にサーバ装置に対し、商品ＩＤ情報及び暗号化購入フラグを送信し、サーバ装置は、携帯端末から受信した、商品ＩＤ情報及び暗号化購入フラグから、購入フラグが有効であるかどうか判定し、判定により購入フラグが無効である場合、携帯端末に対し商品に関する一般情報を送出し、判定により購入フラグが有効である場合、携帯端末に対し商品に関する購入者向け情報を送出し、携帯端末は、サーバより受信した、一般情報又は購入者向け情報のいずれか一方を表示することを特徴とする。
【００５２】
請求項４５記載の発明は、請求項４４記載の発明において、サーバ装置情報は、携帯端末の有する記憶部、又は電子タグの記憶部のいずれか一方に保持されることを特徴とする。
【００５３】
請求項４６記載の発明は、請求項４４又は４５記載の発明において、携帯端末は、電子タグの記憶部の購入フラグを更新し、購入フラグを無効にすることを特徴とする。
【発明の効果】
【００５４】
本発明によれば、情報記憶発信機を貼付してアンケートや懸賞といった特典が付与された商品について、正規に購入していない商品の情報記憶発信機を読み取って特典に応募する等の不正行為を防止することができる。
【発明を実施するための最良の形態】
【００５５】
以下、本発明を実施するための最良の形態について添付図面を参照して詳細に説明する。
【実施例１】
【００５６】
本発明の実施例１は、図１に示すように、商品の購入者が、ＩＣタグリーダライタ機能及びインターネット通信機能を有する携帯電話２を使用して、購入した商品である「にんじん」に貼付されたＩＣタグ１から情報を読み取り、無線基地局５を介してインターネット３に接続された課金集計サーバ４に接続し、商品に付与される特典（賞品付きアンケートや懸賞等）に応募する場合を想定する。なお、本実施例では、商品に付与される特典として、購入者が購入商品のアンケートに回答すると、商品メーカ側から報酬金を得ることができるという内容のものとする。
【００５７】
また、本実施例では、課金集計サーバ４は、アンケートを専門に実施する業者（以下、アンケート専門実施会社という）によって管理されるものとし、アンケートを実施したい要望を持った商品メーカ側に課金集計サーバを利用させるＡＳＰ（Application Service Provider）形式でのサービス提供を行うものとする。
【００５８】
また、本実施例では、便宜上、商品の購入者と、携帯電話２のユーザ（特典の応募者）とが同一人物であることを想定しているが、商品が正規に購入された後に商品に付与された特典に応募するのであれば、商品の購入者と、携帯電話２のユーザ（特典の応募者）とが同一人物である必要はない。
【００５９】
［構成の説明］
まず、商品である「にんじん」に貼付されたＩＣタグ１の構成を図２に示す。
図２に示すように、ＩＣタグ１は、制御部１１、記憶部１２、電力生成部１３、アンテナ部１４を有する情報記憶発信機である。なお、本実施例では、情報記憶発信機としてＩＣタグを用いているが、これに限られず、図２に示す構成を有するものであればよい。
【００６０】
ＩＣタグリーダライタ機能付き携帯電話２からの情報取得要求の電波がアンテナ部１４にて受信されると、電力生成部１３で誘導起電力を利用して電力を発生させる。
【００６１】
制御部１１は、記憶部１２に予め記憶されている、個々の商品を識別するための識別情報である「固体識別符号」と、課金集計サーバ４の接続先アドレスを示すアドレス情報である「ＵＲＬ情報」とを読み出し（図２の情報例を参照）、アンテナ部１４からＩＣタグリーダライタ機能付き携帯電話２へ送信する。本実施例では、上記ＵＲＬ情報は「 HYPERLINK "http://www.abc.com/" http://www.abc.com/」となっており、これはＡＳＰ方式サービスを提供するアンケート専門実施会社の所有する課金集計サーバの接続先トップアドレスである。
【００６２】
そして、本実施例のＩＣタグ１は、商品の精算時等において、商品が正規に購入されたことを示す購入済み情報を生成し、記憶する。この機能について以下に例を挙げる。（１）レジ精算時に、ＩＣタグ１の識別符号の一部を書き換えて、購入前と購入後とで識別符号を異なるものにする。この場合、購入後の識別符号が購入済み情報となる。（２）レジ精算時に、販売者側がＩＣタグ１又はＩＣタグに係る付属品の一部を物理的に取り外すことによって、ＩＣタグ１の制御部１１が付属品の取り外しを検知し、取り外し前とは異なる識別符号（購入済み情報）に書き換える。（３）購入者が商品を開封した時に、ＩＣタグ１の制御部１１が開封を検知し、開封前とは異なる識別符号（購入済み情報）に書き換える。（４）レジ精算時に、レジに付属したコンピュータ等によって、ＩＣタグ１の識別符号を、ネットワークを介して課金集計サーバ４に通知する（この場合、課金集計サーバ４のＩＣタグ認証手段１８は、識別符号の通知を受けたことにより、商品が正規に購入されたものと判断する）。なお、識別符号の書き換え（購入済み情報の生成）は、制御部１１が行うものとする。例えば、レジ精算時に、販売員によってＩＣタグがスキャン等されると、制御部１１がスキャン等を検知して、識別符号の書き換えを行う。又は、レジ精算時に販売員がＩＣタグリーダライタを使用して、精算済みの商品の識別符号の書き換えを行う。
【００６３】
ここで、識別符号の書き換えについては、図２に示す識別符号に、購入されたことを示す新たな符号（情報）を追加してもよいし、購入されたことを示すものとして識別符号の一部又は全体を書き換えてもよい。あるいは、ＩＣタグ１が、精算時等において、識別符号とは別に、制御部１１にて正規に購入されたことを示す購入済み情報を新たに生成し、記憶部１２がその情報を記憶するようにしてもよい（この場合、購入済み情報は、識別符号とともに課金集計サーバ４に送信される）。
【００６４】
次に、ＩＣタグリーダライタ機能付き携帯電話２の構成を図３に示す。
図３に示すように、ＩＣタグリーダライタ機能付き携帯電話２は、制御部２１、無線部２２、表示部２３、ＩＣタグリーダライタ２４、アンテナ部２５、記憶部２６とを有する携帯端末装置である。
【００６５】
無線部２２は、携帯電話の無線通信基地局５を介して、インターネット３上の機器（本実施例では、課金集計サーバ４）と情報の送受信を行う。表示部２３は携帯電話の表示画面であり、例えばアンケート画面といった、課金集計サーバ４から受信した画面等が表示される。
【００６６】
ＩＣタグリーダライタ２４は、アンテナ部２５を介して電波を発信させ、ＩＣタグ１から情報を読み取る（上述のように、ＩＣタグ１はアンテナ部２５からの電波を受け、誘電起電力を発生させて応答する）。
【００６７】
記憶部２６は携帯電話の個体識別子である端末ＩＤ情報や、その他の情報を記憶しておく部分である。この端末ＩＤ情報は、制御部２１からの制御で取り出し、無線部２２を使って外部へ送信することができる。
【００６８】
制御部２１は、上記各部の制御を行う。また、図示はしていないが、ユーザが入力操作等を行うために使用する操作部を有している。なお、本実施例では、携帯端末装置として携帯電話を用いているが、これに限られず、ＩＣタグリーダライタ機能及びインターネット通信機能を有する携帯端末装置であればよい（例えば、ＰＤＡ等）。
【００６９】
次に、課金集計サーバ４の構成を図１３に示す。
図１に示すように、インターネット３に接続され、携帯電話の無線基地局５を介して、携帯電話２との間で情報の送受信を行うことができる課金集計サーバ４は、図１３に示すように、制御手段１０、無線手段６、記憶手段７、ＩＤ・パスワード生成手段８、ユーザ認証手段９、重み付け手段１５、報酬額算出手段１６、報酬額支払手段１７、ＩＣタグ認証手段を有する情報処理装置である。
【００７０】
無線手段６は、インターネット３を介して他の通信機器と情報の送受信を行う。本実施例では、インターネット３及び無線基地局５を介して携帯電話２と通信を行う。
【００７１】
記憶手段７は、少なくとも１以上のデータベース等の記憶部（図示せず）から構成されており、携帯電話２から受信した情報（本実施例では、ユーザ情報やアンケートの回答情報等）や、商品メーカ側から入力された情報（本実施例ではアンケート情報等）を、該当する各記憶部に記憶する。
【００７２】
ＩＤ・パスワード生成手段８は、特典の応募の前に行われるユーザ登録において、ユーザに関する情報や携帯電話の端末ＩＤ情報を受信した際に、ユーザ毎にユーザ認証用のＩＤ及びパスワードを生成する。
【００７３】
ユーザ認証手段９は、特典の応募をする場合や課金集計サーバ４にログインする場合にユーザの携帯電話から受信する、ユーザ認証用のＩＤ及びパスワードと、ＩＤ・パスワード生成手段８によって生成された後に記憶手段７に記憶された、ＩＤ及びパスワードとを照合してユーザ認証を行う。
【００７４】
重み付け手段１５は、アンケート等の特典の応募において、ユーザ（応募者）が入力した情報（情報量又は任意の入力項目等）に応じて、重み付け情報である点数を算出する。
【００７５】
報酬金算出手段１６は、重み付け手段１５によって算出された点数を基に、ユーザ（応募者）に支払う報酬金額の算出を行う。
【００７６】
報酬金支払手段１７は、報酬金算出手段１６によって算出された報酬金額の支払処理を行う。
【００７７】
ＩＣタグ認証手段１８は、携帯電話２から受信した識別符号と、記憶手段７に記憶されている識別符号（出荷時の識別符号）とを照合することによって、商品が正規に購入されたものであるか否かの認証を行う。あるいは、携帯電話２から商品が購入されたことを示す情報を受信したか否かによって、商品が正規に購入されたものであるか否かの認証を行う。
【００７８】
制御手段１０は、ＩＣタグ認証手段１８によって商品が正規に購入されたと判断された場合に、ＩＣタグリーダライタ機能付き携帯電話２の接続を行うように無線手段を制御する。また、制御手段１０は、図示しないプログラム記憶手段（記憶媒体を含む）から読み出されたプログラムによって処理動作を制御され、そのプログラムの制御により以下に説明する処理を実行する。
【００７９】
上述したように、本実施例ではアンケートの謝礼として報酬金を算出し、応募者に対して報酬金を支払うための構成としたが、プレゼント懸賞等の場合は、抽選手段を設けることにより、応募者の中から当選者を選出するようにしてもよい。
【００８０】
［動作の説明］
次に、図９、図１０、図１１のフローチャートを参照して、本実施例の動作の手順を詳細に説明する。
【００８１】
まず、アンケートを実施したい商品メーカ側が、アンケートの実施・回収に係る各情報を課金集計サーバ４に登録するフローを図９に示す。
例えば、図８に示すように、商品メーカ側は、「識別符号」、「アンケート格納ＵＲＬ」、「商品名」、「最高報酬額」、「重み付け情報」（図６参照）を課金集計サーバ４へ予め登録する（ステップＳ１０１）。本実施例では、「アンケート格納ＵＲＬ」はアンケート専門実施会社の課金集計サーバ配下のアドレスとして、「 HYPERLINK "http://www.abc.com/1.html" http://www.abc.com/1.html」としている。また、最高報酬額は本実施例では１０円とした。
【００８２】
アンケートを記載したＨＴＭＬファイル（ここでは1.html）を課金集計サーバ４(ここでは、http://www.abc.com/)にアップロードする（ステップＳ１０２）。課金集計サーバ４は、このＨＴＭＬファイルを、記憶手段７又は記憶手段７の所定の記憶部（データベース等）に格納する。
【００８３】
そして、商品メーカ側は、図２に示すように、商品の識別符号と課金集計サーバのトップアドレス情報（ここでは、http://www.abc.com/）とをＩＣタグへ格納し、そのＩＣタグを商品に貼付して商品を小売店等の販売者に出荷する（ステップＳ１０３）。
【００８４】
課金集計サーバ４のトップアドレスには、図４の左側に示す画面のように、ユーザにＩＤ、パスワードを入力させる部分と、新規登録をさせるためのボタンとが配置されている。よって、商品の購入者であるユーザが、商品に付与されたＩＣタグに携帯電話２を近づける等してＩＣタグを読み取ると、携帯電話２はトップアドレスに接続される。そして、購入者が予めユーザ登録をしている場合は、自分のＩＤ及びパスワードを入力して、携帯電話２に表示される、図４の右側に示すアンケートを実施する。
【００８５】
次に、アンケートに回答するユーザ側のユーザ情報登録フローを図１０に示す。
まず、商品に貼付されたＩＣタグ１に対し、ＩＣタグリーダライタ機能付き携帯電話２をかざす（ステップＳ２０１）。携帯電話２は、商品に貼付されたＩＣタグ１から識別符号と接続先ＵＲＬ情報とが読み込めた場合、その接続先ＵＲＬ情報を基に、課金集計サーバ４に自動的に接続する（ステップＳ２０２／ＹＥＳ）。もし、商品に付与されたＩＣタグ１からの情報読み込みがうまくいかない場合、ステップＳ２０１に戻る（ステップＳ２０２／ＮＯ）。
【００８６】
そして、課金集計サーバ４に自動的に接続する（ステップＳ２０３）。ここで、課金集計サーバ４は、ＩＣタグ認証手段１８にて、携帯電話２から受信した識別符号が、記憶手段７に保持される識別符号（出荷時の識別符号）と違っているかどうか（書き換えられているかどうか）を判断する。携帯電話２から受信した識別符号の書き換えがないと判断した場合、商品が正規に購入されていないものとしてサーバ４への接続をエラーとし、ステップＳ２０１に戻って最初からやり直すように携帯電話２に表示するか（ステップＳ２０４／ＮＯ）、又は、課金集計サーバ４に接続できない旨を携帯電話２に表示して処理を終了する（エンド）。
【００８７】
なお、本実施例では、上述したように携帯電話２から受信した識別符号が書き換えられている場合、書き換えられた識別符号を購入済み情報としてＩＣタグ認証手段１８が取り扱うようにしているが、ＩＣタグ認証手段１８が識別符号とは別の購入済み情報（ＩＣタグ１にて生成）によって判断する場合は、その購入済み情報を受信したか否かで、商品が正規に購入されたか否かを判断する。
【００８８】
携帯電話２から受信した識別符号の書き換えがあると判断した場合、正規に商品が購入されたと判断して、課金集計サーバ４への接続を行う（ステップＳ２０４／ＹＥＳ）。そして、課金集計サーバ４は、記憶手段７に記憶される、ユーザＩＤ、パスワードの入力画面を携帯電話２へ送信する。携帯電話２は、図４の左側の画面例に示すようなユーザＩＤ、パスワードの入力画面を表示する（ステップＳ２０５）。ここでは、ユーザＩＤ、パスワードは持っていない新規ユーザの場合なので、図４の画面において、ユーザは新規登録ボタンを押す（ステップＳ２０６）。
【００８９】
その後、図５に示すように新規登録画面を表示し、ユーザに個人情報を入力してもらう（ステップＳ２０７）。ユーザに入力してもらう情報は、必須項目と、任意項目とがある。本実施例では性別の入力のみが必須項目とする。ユーザが各情報を入力し終わって、登録ボタンを押した場合、携帯電話２は、入力された情報と、携帯電話２の端末ＩＤ情報とを課金集計サーバ４へ送信する（ステップＳ２０８）。
【００９０】
課金集計サーバ４は、ユーザにより入力された情報と、携帯電話２の端末ＩＤ情報とを受信し、記憶手段７に登録するとともに、ＩＤ・パスワード生成手段８にてユーザＩＤとパスワードとを生成する。生成したユーザＩＤとパスワードは、記憶手段７又は記憶手段７の所定の記憶部（データベース等）に記憶する。
【００９１】
また、図６の左側に示す重み付け例のように、ユーザに入力してもらった情報には予め重みが付けられている。この重み付けの基準は、予め商品メーカ側より課金集計サーバ４に登録され、記憶手段７に記憶されているものとする。そして、課金集計サーバ４の重み付け手段１５は、ユーザが入力した情報（情報量や項目別）に応じて点数（重み付け情報）をつける（ステップＳ２０９）。なお、本実施例では、全ての情報を登録した場合は１００点となる。
【００９２】
本実施例では、図６に示すように、ユーザは生年月日と住所とメールアドレスは入力していないので、その部分の重みは０点になり、結果として、入力した情報全部で６０点となっている。なお、本実施例では、重み付けの算出は点数としたが、点数に限られない。
【００９３】
そして、図６の右側に示すユーザ情報登録例のように、この時点でユーザ情報の登録が完了する。図６の右側に示すユーザ登録情報は、記憶手段７又は記憶手段７の所定の記憶部（データベース等）に記憶される。
【００９４】
次に、生成したユーザＩＤとパスワードは、携帯電話２へ送信され、図５に示す表示画面においてユーザに知らされる（ステップＳ２１０）。ユーザは、ユーザＩＤとパスワードとを保存しておくことにより、次回以降のアクセスが容易にできるようになる。
【００９５】
次に、アンケートへの回答フローを図１１に示す。まず、ユーザは、商品に貼付されたＩＣタグ１へＩＣタグリーダライタ機能付き携帯電話２をかざす（ステップＳ３０１）。商品に貼付されたＩＣタグ１から識別符号と接続先ＵＲＬ情報とが読み込めた場合、その接続先ＵＲＬ情報を基に、課金集計サーバ４に自動的に接続する（ステップＳ３０２／ＹＥＳ）。
【００９６】
ここで、課金集計サーバ４は、ＩＣタグ認証手段１８にて、携帯電話２から受信した識別符号が、記憶手段７に保持される識別符号（出荷時の識別符号）と違っているかどうか（書き換えられているかどうか）を判断する。携帯電話２から受信した識別符号の書き換えがないと判断した場合、商品が正規に購入されていないものとしてサーバ４への接続をエラーとし、ステップＳ３０１に戻って最初からやり直すように携帯電話２に表示するか（ステップＳ３０４／ＮＯ）、又は、課金集計サーバ４に接続できない旨を携帯電話２に表示して処理を終了する（エンド）。
【００９７】
なお、本実施例では、上述したように携帯電話２から受信した識別符号が書き換えられている場合、書き換えられた識別符号を購入済み情報としてＩＣタグ認証手段１８が取り扱うようにしているが、ＩＣタグ認証手段１８が識別符号とは別の購入済み情報（ＩＣタグ１にて生成）によって判断する場合は、その購入済み情報を受信したか否かで、商品が正規に購入されたか否かを判断する。
【００９８】
携帯電話２から受信した識別符号の書き換えがあると判断した場合、正規に商品が購入されたと判断して、課金集計サーバ４への接続を行う（ステップＳ３０４／ＹＥＳ）。そして、課金集計サーバ４は、ユーザＩＤ、パスワード入力画面（図４の左側の画面）を携帯電話２に表示し、ユーザの携帯電話２にてＩＤ、パスワードを入力してもらう（ステップＳ３０５）。課金集計サーバ４に接続できなかった場合は、ステップＳ３０１に戻って最初から行う（ステップＳ３０４／ＮＯ）。
【００９９】
次に、商品に貼付されたＩＣタグの識別符号情報と、ユーザに入力してもらったＩＤとパスワードとを、課金集計サーバ４にて取得する（ステップＳ３０６）。課金集計サーバ４では、図８に示すように、商品の識別符号から該当するアンケート格納ＵＲＬ（本実施例ではhttp://www.abc.com/1.html）を参照することができるので、図４の右側の画面例のように該当するアンケート画面を携帯電話２に表示し、ユーザにアンケートに答えてもらう（ステップＳ３０７）。
【０１００】
ユーザが、アンケートに回答し、送信ボタンを押すと、携帯電話２は、課金集計サーバ４にアンケートの回答情報を送信する（ステップＳ３０８）。課金集計サーバ４は、アンケート回答情報を受け取って、図７に示すようにアンケート回答情報を記憶手段７に登録するとともに、事前に登録されていた最高報酬額（本実施例では１０円）と、ユーザの重み付け情報に（本実施例では６０点）基づいて、報酬額算出手段１６にて報酬額を計算する（ステップＳ３０９）。本実施例では、この報酬額の計算式は、最高報酬額×ユーザの重み／１００として、サーバ４に事前登録されているものとし、本実施例では１０円×０．６＝６円が報酬額となる。この報酬額の金額は、図４の右下の画面例のように、アンケート回答者の携帯電話２の画面に表示される（ステップＳ３１０）。そして、課金集計サーバ４の報酬額支払手段１７は、予め取得しておいた、携帯電話２の端末ＩＤ情報を基に、その報酬額をユーザへ支払い処理する（ステップＳ３１１）。
【０１０１】
この支払い処理は、ユーザの携帯電話における月額通信料金から引く形としても良い。通常携帯電話では、端末ＩＤごとに月額通信料金を管理しているため、端末ＩＤ情報があれば、月額通信料金から引く形や、ユーザの引き落とし口座に振り込む形も考えられる。なお、課金集計サーバに登録されたアンケート情報のサマリーなどの情報は、本サービスを提供するＡＳＰ業者から、アンケート実施メーカに対して提供してもよいし、アンケート回答者へ支払った全報酬金額をＡＳＰ業者からアンケート実施メーカに対して請求してもよい。
【０１０２】
また、本実施例では、アンケート回答者がユーザ情報を登録した際に、情報によって重み付けを行っているが、アンケート実施側では、アンケートの内容によってはユーザから得たい個人情報の量や種類が異なるため、重み付けはアンケート毎にアンケート実施者にて変更してもよい。課金集計サーバにアンケート情報とともに重み付け情報をアップロードしておけばよい。また、アンケート実施者は、課金集計サーバにアクセスすることにより、いつでもアンケート結果を閲覧することができる。
【実施例２】
【０１０３】
本発明の実施例２として、ユーザＩＤやパスワードを登録せずに、アンケートを実施・集計するのみの場合を説明する。実施例１では図４の左側のＩＤ、パスワード入力画面をまず表示したが、本実施例では、購入した「にんじん」に貼付されたＩＣタグ１に携帯電話２をかざすと、図１０のように、最初にアンケート画面を表示させ、アンケートを実施してもらうようにする。よって、本実施例は、匿名でもアンケートを実施したい場合に有効である。なお、本実施例の構成や動作について、ユーザＩＤやパスワードを登録に係る手段や処理動作を必要としない以外は、上記実施例１と同様であるのでここでの説明は省略する。
【０１０４】
以上説明したように、本発明の実施例１及び２によれば、商品が正規に購入されたことを示す情報をＩＣタグに記憶させ、商品に付与された特典の応募等がされた場合、商品が正規に購入されたことを示す情報に基づき、特典の応募等が有効であるか否かを確認できる。よって、ＩＣタグを貼付してアンケートや懸賞といった特典が付与された商品について、正規に購入していない商品のＩＣタグを読み取って特典に応募する等の不正行為を防止することができる
【０１０５】
また、本発明の実施例１及び２によれば、アンケート回答者が商品に携帯電話をかざし情報を入力するだけで、負担を感じることなく自動的にアンケート回答することができ、アンケート実施側も即座にアンケート結果を取得することができる。その理由は、商品にＩＣタグを付与し、ＩＣタグに商品の識別符号情報とアンケート実施用の課金集計サーバのＵＲＬ情報を格納しておくことにより、ＩＣタグリーダライタ機能付き携帯電話にて、商品に付与されたＩＣタグに携帯電話をかざして情報を読み込むことにより、自動的に課金集計サーバに接続しアンケートに回答できるからである。
【０１０６】
また、本発明の実施例１及び２によれば、アンケート実施者もアンケートを事前に課金集計サーバに登録し、商品の識別符号情報とアンケート実施用の課金集計サーバのＵＲＬ情報を格納しておいたＩＣタグを商品に付与して出荷するだけで、その商品のアンケートを自動的に回収でき、回収結果も即座に閲覧することができる。
【０１０７】
また、本発明の実施例１及び２によれば、アンケートを実施するメーカ側のアンケートの配布や、アンケートに回答するユーザ側の情報登録やアンケート回収について手間をかけることなく、ほぼ自動的に行うことができる。その理由は、メーカのアンケートは紙で配布するのではなく、作成したアンケートを電子的に課金集計サーバに登録するのみであり、また、アンケートに回答するユーザ側のユーザの個人情報登録もアンケート回答も課金集計サーバに対して行えばよく、アンケートの回収も課金集計サーバに格納されるアンケートの結果情報を参照すれば可能であるからである。
【０１０８】
また、本発明の実施例１及び２によれば、アンケート回答者に対して報酬を自動的に支払うことが可能である。その理由は、アンケート実施者側で課金集計サーバに支払う報酬金額を登録しておくことにより、アンケート回答者がアンケート回答時に報酬金額を計算し自動的に報酬を支払うことが可能となるからである。
【０１０９】
また、本発明の実施例１及び２によれば、アンケート実施側が、アンケート回答者から得られる個人情報の量によって、報酬額を自動的に変更することが可能である。その理由は、アンケート実施者側で課金集計サーバに支払う報酬金額を登録しておき、アンケート回答者が個人情報登録時に開示してよい情報を選んでおくことにより、その開示情報の量によって重み付けをし、その重み付けによって支払う報酬金額をサーバ上で自動的に変更することが可能となるからである。
【０１１０】
また、本発明の実施例１及び２によれば、商品の個体毎のアンケートを取得することができるようになる。その理由は、商品に付与するＩＣタグには十分な記憶容量があり、個体毎の識別符号を格納することが可能であり、その識別符号を基に、個体毎のアンケートを実施可能となる。このように個体毎のアンケートを実施できるようになると、例えば食品であれば、産地毎のどの農家の野菜でいつ収穫された野菜が美味しかったなどの情報や、何月何日何時に誰が盛り付けをした弁当が美味しかったなど、個体毎のアンケートが取得でき、それを経営分析や業務分析などの情報として利用できる。
【実施例３】
【０１１１】
次に、本発明の実施例３について説明する。商品やタグが再度流通するか、又は貸与された場合も、特典を受ける権利が付随して流通してしまうという問題を解決するために、本実施例では、商品に貼付されたＲＦＩＤなどの書き込み可能な電子タグを用いて、商品購入前の消費者に対し一般的な商品情報を提供でき、かつ、購入者に限定した購入者向け商品情報の提供を可能にする。
【０１１２】
[構成の説明]
本実施例のシステムは、図１４に示すように、商品に貼付される書き込み可能な電子タグ１００と、この電子タグ１００の情報を読み込む携帯端末２００及びＰＯＳ端末４００と、インターネット等の通信網３００を介して携帯端末２００と通信を行うサーバ５００と、から構成される。
【０１１３】
電子タグ１００は、上記実施例１で説明した構成と同じである。本実施例では、図１５に示すように、個々の商品を識別するための情報である商品ＩＤ情報１０１と、サーバにアクセスするためのＵＲＬ等を含むサーバ情報１０２と、商品が購入済みか否かを示す情報である購入フラグ１０３と、を記憶部の購入フラグ領域に保持する。
【０１１４】
携帯端末２００は、図１６に示すように、電子タグ１００の情報を読み込むためのＩＣタグリーダライタである電子タグ読み取り手段２０１と、読み取った情報を基にサーバと通信する通信手段（無線部・アンテナ部）２０２と、サーバから受信した情報を表示する表示手段（表示部）２０３と、電子タグ１００の記憶部の一部分である購入フラグ領域に対し、データを更新することができる購入フラグ消去手段２０４と、各種情報を記憶する記憶手段（図示せず）と、各手段を制御する制御手段（図示せず）とを有する。なお、本実施例の携帯端末は、携帯電話やＰＤＡ等、全ての移動体通信端末装置を想定する。
【０１１５】
ＰＯＳ端末４００は、図１７に示すように、電子タグの商品固有の情報である商品ＩＤ情報１０１を読み込み、この商品ＩＤ情報を基に暗号化された購入フラグを生成する暗号化購入フラグ生成手段４０１と、生成した暗号化購入フラグデータを、電子タグ１００の購入フラグ領域に書き込む購入フラグ書き込み手段４０２と、各手段を制御する制御手段（図示せず）とを有する。
【０１１６】
サーバ５００は、図１８に示すように、商品の一般情報６００と購入者向け情報７００を格納し、携帯端末２００から受信した電子タグ１００の商品ＩＤ情報１０１と購入フラグ１０３から、購入フラグ１０３が商品ＩＤ情報１０１に対し有効であるかどうか判定する暗号化購入フラグ判定手段５０１と、購入フラグが無効だった場合、携帯端末２００に対し商品の一般情報６００を送出する一般情報送出手段５０２と、購入フラグが有効だった場合、商品の購入者向け情報７００を送出する購入者向け情報送出手段５０３を有する。また、図示はしていないが、サーバ５００は、制御手段及びプログラム記憶手段を有し、制御手段は、プログラム記憶手段（記憶媒体を含む）から読み出されたプログラムによって処理動作を制御され、そのプログラムによって以下に説明する処理を実行する。
【０１１７】
[動作の説明]
次に、本実施例の処理動作について図１９及び図２０を参照して詳細に説明する。
図２２に示すように、店頭にて商品（苗Ａ）が陳列されているとする。このとき、苗Ａに貼付されている電子タグ（ＲＦＩＤなど書き込み可能なもの）の状態は、図２１に示すような状態である。すなわち、商品ＩＤ情報として商品コードである“１０００”が、サーバ情報として“www.nec.co.jp"が、購入フラグとして"０００"が格納されている。購入フラグ"０００"は無効状態を意味する。
【０１１８】
次に、ＲＦＩＤの読み込みおよび書き込みが可能な携帯端末２００（例えば携帯電話）を所有する消費者が、携帯端末２００で電子タグ１００のデータを電子タグ読み取り手段２０１で読み込む（図１９、Ｓ４０１）。携帯端末２００はその中からサーバ情報を抽出し、通信手段２０２を用いてサーバにインターネット等の通信網３００を用いてアクセスし、サーバに商品ＩＤ情報１０１と購入フラグ１０３を送信する（図１９、Ｓ４０２）。同時に、購入者フラグ消去手段２０４により、電子タグ１００の購入フラグ１０３を無効にする（図１９、Ｓ４０３）、という一連の動作を消費者が電子タグ読み取り手段２０１を起動すると連続して実行する。
【０１１９】
サーバ５００は、携帯端末２００から受信したデータから商品ＩＤ情報と購入者フラグを抽出し、商品ＩＤ情報と購入フラグの関連を暗号化購入フラグ判定手段で判定する（図１９、Ｓ４０４）。
【０１２０】
商品ＩＤ情報が“１０００”で購入フラグが“０００”で、暗号キーによる有効判定条件が「商品ＩＤ情報÷２＋１」だとすると、購入フラグは無効を意味しているので（図１９、Ｓ４０５／無効）、サーバ５００は携帯端末２００に対し、一般商品情報６００を送信する（図１９、Ｓ４０６）。一般商品情報６００とは、例えば図２３に示すように、苗Ａの育て方のような、購入者以外にも開示可能な販促データである。一般商品情報６００のデータを受信した携帯端末は表示手段２０３を用いて、携帯端末の表示部に一般商品情報６００のデータを表示する（図１９、Ｓ４０８）。
【０１２１】
次に、消費者がこの商品苗Ａを購入した場合、店舗のＰＯＳ端末において、購入と引き替えに、電子タグ１００の商品ＩＤ情報１０１を読み取り（図２０、Ｓ５０１）、暗号化購入フラグ生成手段４０１により、商品ＩＤ情報“１０００”から「商品ＩＤ情報÷２＋１」の暗号化処理を行って、図２１に示すように購入フラグ“５０１”を生成する（図２０、Ｓ５０２）。生成された購入フラグを電子タグ１００の購入フラグ１０３に書き込む（図２０、Ｓ５０３）。「商品ＩＤ情報÷２＋１」が暗号鍵生成ルールとして消費者には隠蔽されているものとする。
【０１２２】
次に、購入者が再度、商品に貼付された電子タグ１００を携帯端末２００で読み込むと、と同等の処理が行われ、サーバに電子タグ１００のデータが送信される。送信後に購入フラグ消去手段２０４も連続して動作するため、購入フラグ１０３は再び“０００”に書き換えられる。
【０１２３】
サーバ５００は、受信したデータが今度は、購入フラグが“５０１”であるため、サーバ５００の暗号化購入フラグ判定手段は、購入フラグが有効と判断し（図１９、Ｓ４０５／有効）、購入者向け情報７００のデータを携帯端末２００に対し送信する（図１９、Ｓ４０７）。購入者の携帯端末２００には、例えば図２４のような購入者限定のキャンペーン画面が表示され（図１９、Ｓ４０８）、購入者は購入者限定のキャンペーンに参加することができる。
【０１２４】
そして、購入者が再度、携帯端末２００で電子タグ１００を読み込むと、操作で購入フラグ消去手段２０４により購入フラグ１０３が“０００”に書き換えられているため、サーバ５００からは再び、一般商品情報６００のデータが送信される。
【実施例４】
【０１２５】
次に、本発明の実施例４について、図２５、図２６、図２７を参照して詳細に説明する。
【０１２６】
[構成の説明]
電子タグの情報記憶領域の制約等により、サーバ情報１０２が電子タグ１００内に格納できない場合は、電子タグにサーバ情報１０２を格納せず（図２６参照）、図２５に示すように、携帯端末２００に固定のサーバ情報２０５を記憶させることで同等の機能が実現できる。この場合の実現手段として、携帯端末で電子タグ読み取り手段２０１、通信手段２０２、購入フラグ消去手段２０４、表示手段２０３の一連の動作を連続して実行するプロセスに、サーバのアドレスを固定的に埋め込むことで可能となる。通常、商品情報は商品メーカ毎や店舗毎に提供されるため、プロセスがメーカ固有もしくは店舗固有のプロセスとして実行される。なお、本実施例のシステムを構成する電子タグ、携帯端末、ＰＯＳ端末、サーバ等の機能は、上記本実施例の特徴を除いて上記実施例３と同様とする。
【０１２７】
[動作の説明]
次に、本実施例の処理動作について図２７を参照して詳細に説明する。
図２２に示すように、店頭にて商品（苗Ａ）が陳列されているとする。このとき、苗Ａに貼付されている電子タグ（ＲＦＩＤなど書き込み可能なもの）の状態は、図２１に示すような状態である。すなわち、商品ＩＤ情報として商品コードである“１０００”が、サーバ情報として“www.nec.co.jp"が、購入フラグとして"０００"が格納されている。購入フラグ"０００"は無効状態を意味する。
【０１２８】
次に、ＲＦＩＤの読み込みおよび書き込みが可能な携帯端末２００（例えば携帯電話）を所有する消費者が、携帯端末２００で電子タグ１００の商品ＩＤ情報１０１と購入者フラグ１０３を電子タグ読み取り手段２０１で読み込む（図２７、Ｓ４０１）。購入者フラグ消去手段２０４により、電子タグ１００の購入フラグ１０３を無効にする（図２７、Ｓ６０２）。携帯端末２００は予め設定されているサーバ情報により、通信手段２０２を用いてサーバ５００にインターネット等の通信網３００を用いてアクセスし、サーバ５００に商品ＩＤ情報１０１と購入フラグ１０３を送信する（図２７、Ｓ６０３）。このような一連の動作を消費者が電子タグ読み取り手段２０１を起動すると連続して実行する。
【０１２９】
以下の処理は、上記実施例３と同様に、サーバ５００は、携帯端末２００から受信したデータから商品ＩＤ情報と購入者フラグを抽出し、商品ＩＤ情報と購入フラグの関連を暗号化購入フラグ判定手段で判定する（図２７、Ｓ６０４）。
【０１３０】
商品ＩＤ情報が“１０００”で購入フラグが“０００”で、暗号キーによる有効判定条件が「商品ＩＤ情報÷２＋１」だとすると、購入フラグは無効を意味しているので（図２７、Ｓ６０５／無効）、サーバ５００は携帯端末２００に対し、一般商品情報６００を送信する（図２７、Ｓ６０６）。一般商品情報６００とは、例えば図２３に示すように、苗Ａの育て方のような、購入者以外にも開示可能な販促データである。一般商品情報６００のデータを受信した携帯端末は表示手段２０３を用いて、携帯端末の表示部に一般商品情報６００のデータを表示する（図２７、Ｓ６０８）。
【０１３１】
次に、消費者がこの商品苗Ａを購入した場合、店舗のＰＯＳ端末において、購入と引き替えに、電子タグ１００の商品ＩＤ情報１０１を読み取り（図２０、Ｓ５０１）、暗号化購入フラグ生成手段４０１により、商品ＩＤ情報“１０００”から「商品ＩＤ情報÷２＋１」の暗号化処理を行って、図２１に示すように購入フラグ“５０１”を生成する（図２０、Ｓ５０２）。生成された購入フラグを電子タグ１００の購入フラグ１０３に書き込む（図２０、Ｓ５０３）。「商品ＩＤ情報÷２＋１」が暗号鍵生成ルールとして消費者には隠蔽されているものとする。
【０１３２】
次に、購入者が再度、商品に貼付された電子タグ１００を携帯端末２００で読み込むと、と同等の処理が行われ、サーバに電子タグ１００のデータが送信される。送信後に購入フラグ消去手段２０４も連続して動作するため、購入フラグ１０３は再び“０００”に書き換えられる。
【０１３３】
サーバ５００は、受信したデータが今度は、購入フラグが“５０１”であるため、サーバ５００の暗号化購入フラグ判定手段は、購入フラグが有効と判断し（図２７、Ｓ６０５／有効）、購入者向け情報７００のデータを携帯端末２００に対し送信する（図２７、Ｓ６０７）。購入者の携帯端末２００には、例えば図２４のような購入者限定のキャンペーン画面が表示され（図２７、Ｓ６０８）、購入者は購入者限定のキャンペーンに参加することができる。
【０１３４】
以上のように、本発明の実施例３及び４によれば、第１の効果として、商品に貼付された電子タグにＰＯＳ端末で書き込み、携帯端末から読むことができる購入フラグ領域を設けることで、購入前の消費者へ商品の一般情報の提供と、購入者へ購入者に限定した情報を提供することが、購入フラグの有無で切り替える単一のシステムで可能になり、消費者向けの情報配信システムが簡易化されコストを抑えることができる。
【０１３５】
また、第２の効果として、購入フラグの内容を暗号化し、携帯端末で１回読み込むと購入フラグを無効にすることにより、購入者特典の行使が１回に限定することができ、購入者特典の権利の複製を困難となる。このことにより、購入者限定で行われる、購入者限定の情報提供、ユーザ登録、購入者キャンペーンなどの販促活動が容易になる。
【０１３６】
従って、本実施例３及び４によれば、商品メーカ側は、従来在庫管理等の業務に用いられていた電子タグを用いて、消費者向けの商品情報提供が可能になる上、購入者と非購入者に対して異なる商品情報を提供することが可能になり、購入者限定で特典を付与することが可能になる。また、購入者は１回のみ購入者向け商品情報７００の提供を受けることが可能になるため、商品のユーザ登録や、購入者限定のキャンペーン企画応募や、購入者向けアンケートへの回答などの顧客向けサービスに対応可能となり、購入者特典を享受することができるとともに、購入者に限定された権利の複製を防止することができる。
【０１３７】
以上、本発明の各実施例について説明したが、上記各実施例に限定されるものではなく、その要旨を逸脱しない範囲において種々の変形が可能である。
【産業上の利用可能性】
【０１３８】
本発明の産業上の利用可能性として、開発した新製品をモニターユーザに使ってもらう場合に利用することができる。例えば、新商品としてあるメーカが開発した電気製品に、シール型のＩＣタグを貼ってモニターユーザへ配布し商品を利用してもらう。そして、利用してみた感想や使い勝手についてアンケートに回答してもらう、というような使い方が考えられる。
【０１３９】
また、書類に本発明によるＩＣタグを貼付し、その書類を読んだ感想や、その書類に対するアンケートを実施することが可能となる。
【０１４０】
また、観光地などで、ある観光スポット（例えば、○○寺院の入り口の門）などに、ＩＣタグを付与しておき、そこを訪れた人が、そのＩＣタグに携帯電話をかざすことにより、アンケートに答え、その観光スポットを回ってみた感想などを手軽に入力し収集する方法などが考えられる。
【０１４１】
また、住宅などのモデルルームにて、玄関などに本発明によるＩＣタグを付与し、モデルルームを訪れて見学した際のアンケートなどを玄関にて実施し、住宅会社がそのアンケート結果などを分析することが可能となる。
【０１４２】
また、産地別や農家別や収穫時期別や収穫者別に個体差が出るような生鮮野菜などの味のアンケートを個体毎に実施し、ある産地のある農家で誰が収穫した野菜の評判などが分析可能となる。これらの情報をうまく利用すれば、商品を購入した顧客の満足度を向上させることが可能となる。
【図面の簡単な説明】
【０１４３】
【図１】本発明の商品モニタリングシステムの構成を示す図である。
【図２】商品に付与されるＩＣタグの構成と、ＩＣタグに格納される情報例を示す図である。
【図３】ＩＣタグリーダライタ機能付き携帯電話の構成を示す図である。
【図４】アンケートの画面遷移について示す図である。
【図５】新規登録画面を示す図である。
【図６】ユーザ情報の重み付けとユーザ情報登録例を示す図である。
【図７】課金集計サーバに収集されたアンケート回答情報例を示す図である。
【図８】アンケート実施側が課金集計サーバに事前登録する情報例を示す図である。
【図９】アンケート登録についてのフロー図である。
【図１０】ユーザ側の個人情報登録についてのフロー図である。
【図１１】アンケート回答についてのフロー図である。
【図１２】本発明の実施例２を示す図である。
【図１３】課金集計サーバの構成を示す図である。
【図１４】本発明の実施例３の構成を示すブロック図である。
【図１５】本発明の実施例３に係る電子タグが格納するデータ構造を示す図である。
【図１６】本発明の実施例３に係る携帯端末の構成を示すブロック図である。
【図１７】本発明の実施例３に係るＰＯＳ端末の構成を示すブロック図である。
【図１８】本発明の実施例３に係るサーバの構成を示すブロック図である。
【図１９】本発明の実施例３に係る処理動作を示すフローチャートである。
【図２０】本発明の実施例３に係る処理動作を示すフローチャートである。
【図２１】本発明の実施例３に係る電子タグ１００のデータ例を示す図である。
【図２２】本発明の実施例３の構成を示す模式図である。
【図２３】実施例における一般商品情報の例である。
【図２４】実施例における購入者向け商品情報の例である。
【図２５】本発明の実施例４の構成を示すブロック図である。
【図２６】本発明の実施例４に係る電子タグのデータ例を示す図である。
【図２７】本発明の実施例４の動作を示すフローチャートである。
【符号の説明】
【０１４４】
１    にんじん（商品）に付与されたＩＣタグ
２    ＩＣタグリーダライタ機能付き携帯電話
３    インターネット
４    課金集計サーバ
５    無線基地局
６    無線手段
７    記憶手段
８    ＩＤ・パスワード生成手段
９    ユーザ認証手段
１０    制御手段
１１    制御部
１２    記憶部
１３    電力生成部
１４    アンテナ部
１５    重み付け手段
１６    報酬額算出手段
１７    報酬額支払手段
１８    ＩＣタグ認証手段
２１    制御部
２２    無線部
２３    表示部
２４    ＩＣタグリーダライタ
２５    アンテナ部
２６    記憶部
１００    電子タグ
１０１    商品ＩＤ情報
１０２    サーバ情報
１０３    購入フラグ
２００    携帯端末
２０１    電子タグ読み取り手段
２０２    通信手段
２０３    表示手段
２０４    購入フラグ消去手段
３００    通信網
４００    ＰＯＳ端末
４０１    商品ＩＤ情報読み取り手段
４０２    暗号化購入フラグ生成手段
４０３    購入フラグ書き込み手段
５００    サーバ
５０１    暗号化購入フラグ判定手段
５０２    一般情報送出手段
５０３    購入者向け情報送出手段
６００    一般情報
７００    購入者向け情報
【図１】
2006134033.tif 000003
【図２】
2006134033.tif 000004
【図３】
2006134033.tif 000005
【図４】
2006134033.tif 000006
【図５】
2006134033.tif 000007
【図６】
2006134033.tif 000008
【図７】
2006134033.tif 000009
【図８】
2006134033.tif 000010
【図９】
2006134033.tif 000011
【図１０】
2006134033.tif 000012
【図１１】
2006134033.tif 000013
【図１２】
2006134033.tif 000014
【図１３】
2006134033.tif 000015
【図１４】
2006134033.tif 000016
【図１５】
2006134033.tif 000017
【図１６】
2006134033.tif 000018
【図１７】
2006134033.tif 000019
【図１８】
2006134033.tif 000020
【図１９】
2006134033.tif 000021
【図２０】
2006134033.tif 000022
【図２１】
2006134033.tif 000023
【図２２】
2006134033.tif 000024
【図２３】
2006134033.tif 000025
【図２４】
2006134033.tif 000026
【図２５】
2006134033.tif 000027
【図２６】
2006134033.tif 000028
【図２７】
2006134033.tif 000029